(57)【要約】【課題】コスト増にならず、発信機の取付作業にも支障を来すことがなく、かつ防滴構造として優れた発信機を得る。【解決手段】本発明に係る発信機１は、発信スイッチ４を作動させるための押ボタン３を格納する押ボタン格納部７を有し、押ボタン格納部７は、押ボタン３を格納する空間部６を囲む周壁部９と、空間部６を覆うように装着される有底枠体状の蓋体１１とを備えてなり、蓋体１１の装着状態において、蓋体１１の枠部１１ａ内周面が周壁部９の外周面に当接すると共に、周壁部９の上端面が蓋体１１の底面に当接するように構成されていることを特徴とするものである。【選択図】  図１
2014160310.tif 000002
【特許請求の範囲】
【請求項１】
発信スイッチを作動させるための押ボタンを格納する押ボタン格納部を有する発信機であって、
前記押ボタン格納部は、前記押ボタンを格納する空間部を囲む周壁部と、前記空間部を覆うように装着される有底枠体状の蓋体とを備え、
該蓋体の装着状態において、前記蓋体の枠部内周面が前記周壁部の外周面に当接すると共に前記周壁部の上端面が前記蓋体の底面に当接するように構成されていることを特徴とする発信機。
【請求項２】
前記蓋体の枠部の外周面から前記押ボタンを格納する前記空間部まで連通する排水スリットを設けたことを特徴とする請求項１記載の発信機。
【請求項３】
外部配線用の端子部を、背面側の下部に設けたことを特徴とする請求項１又は２に記載の発信機。
【請求項４】
前記端子部を背面側から覆うカバー蓋体を、背面上部側を基軸として開閉可能に設けたことを特徴とする請求項３記載の発信機。
【発明の詳細な説明】
【技術分野】
【０００１】
本発明は、例えば消火栓箱、総合盤等の機器収納箱に取り付けられて火災信号を発信する発信機に関する。
なお、本明細書において、方向を示す上下とは、発信機を壁面等の取付面に取り付けた状態を基準に表示するものであり、例えば発信機を屋内に取り付けた場合には、「上」とは天井側で「下」とは床側である。また、発信機の構成部品の「面」の特定についても同様であり、「前面」とは壁面等の発信機を取り付ける取付面の表面と同じ側の面をいい、「背面」とは取付面の背面と同じ側の面をいう。
【背景技術】
【０００２】
発信機には、作動することで火災信号を受信機側に発信する発信スイッチが内蔵されており、この発信スイッチを、外部からの操作で作動させるための押ボタンが設けられている。押ボタンは、操作者が「押した」という感覚を認識できるために、押下げ方向にある程度ストロークが設けられている。また、操作した後、発信スイッチの作動状態を保持するため、押ボタンには押下状態を保持するための機構が設けられている。
このように、押ボタンのストロークの確保と前記機構の収納の要請から、押ボタンを格納する押ボタン格納部にはある程度の空間が形成されている。その一方で、発信機は建物の廊下等の壁面のように雨等がかかるような場所に設置されることがあるため、押ボタン格納部への水の浸入を防止する必要がある。
押ボタン格納部には、空間を形成しつつ高い防滴性能が要求される。
【０００３】
このような押ボタン格納部の防滴構造として、例えば特許文献１には、押ボタンを備える板状の本体の周面に当接して押ボタン格納部をカバー体で覆う構造のものが開示されている。
【先行技術文献】
【特許文献】
【０００４】
【特許文献１】特開２００５−１９６７４２号公報
【発明の概要】
【発明が解決しようとする課題】
【０００５】
しかし、特許文献１のものは、板状の本体の周面にカバー体の内周面を当接させる構造であり、本体の周面とカバー体との当接面積が小さく、本体の周面とカバー体の隙間からから押ボタン格納部内に水等が浸入する恐れがあり、防滴構造としては不十分なものである。
そのため、特許文献１のような構造の発信機を壁面等の取付面に取り付ける際には、発信機の背面と取付面との間に設置する防滴パッキンとして、単なる板状のものではなく、本体の側面（本体の周面とカバー体との境界）を覆うことができる形状のものを用いる必要がある。
【０００６】
しかしながら、このような形状の防滴パッキンは形状が複雑であるため、発信機の取付作業時において防滴パッキンを発信機に被せる作業が必要であり、作業性が悪いという問題がある。また、防滴パッキンが複雑な形状であるため、コスト増につがなるという問題がある。
【０００７】
本発明は、上記のような課題を解決するためになされたものであり、発信機の取付作業にも支障を来すことがなく、コスト増にならず、かつ防滴構造として優れた発信機を得ることを目的とする。
【課題を解決するための手段】
【０００８】
（１）本発明に係る発信機は、発信スイッチを作動させるための押ボタンを格納する押ボタン格納部を有する発信機であって、
前記押ボタン格納部は、前記押ボタンを格納する空間部を囲む周壁部と、前記空間部を覆うように装着される有底枠体状の蓋体とを備え、
該蓋体の装着状態において、前記蓋体の枠部内周面が前記周壁部の外周面に当接すると共に前記周壁部の上端面が前記蓋体の底面に当接するように構成されていることを特徴とするものである。
【０００９】
（２）また、上記（１）に記載のものにおいて、前記蓋体の枠部の外周面から前記押ボタンを格納する前記空間部まで連通する排水スリットを設けたことを特徴とするものである。
【００１０】
（３）また、上記（１）又は（２）に記載のものにおいて、外部配線用の端子部を、背面側の下部に設けたことを特徴とするものである。
【００１１】
（４）また、上記（３）に記載のものにおいて、前記端子部を背面側から覆うカバー蓋体を、背面上部側を基軸として開閉可能に設けたことを特徴とするものである。
【発明の効果】
【００１２】
本発明においては、蓋体の装着状態において、蓋体の枠部内周面が周壁部の外周面に当接すると共に、周壁部の上端面が蓋体の底面に当接するように構成されていることにより、蓋体と周壁部との接触面積が大きく、防滴構造に優れる。そのため、発信機の取付作業時に、押ボタン格納部の側面を覆う特殊なパッキンを必要とせず、取付作業を円滑に行うことができ、取付の作業性に優れる。
【図面の簡単な説明】
【００１３】
【図１】本発明の実施の形態に係る発信機の斜視図である。
【図２】本発明の実施の形態に係る発信機の下から見上げた状態を図示したものである。
【図３】本発明の実施の形態に係る発信機の蓋体を開けた状態の斜視図である。
【図４】本発明の実施の形態に係る発信機の内部構造を説明する立断面図である。
【図５】本発明の実施の形態に係る発信機の端子部の防滴カバーの開閉動作を説明する説明図である。
【図６】本発明の実施の形態に係る発信機の端子部を説明する説明図である。
【図７】本発明の実施の形態に係る発信機の配線接続状態を説明する説明図である。
【図８】本発明の実施の形態に係る発信機の配線接続状態の効果を説明する説明図である。
【発明を実施するための形態】
【００１４】
本発明の一実施の形態に係る発信機１は、発信スイッチ４（図４参照）を作動させるための押ボタン３を格納する押ボタン格納部７と、押ボタン格納部７の背面側にあって発信スイッチ４等を収容する本体部５とを有している。
以下に発信機１の各構成を図１〜図８に基づいて詳細に説明する。
【００１５】
＜押ボタン格納部＞
押ボタン格納部７は、発信スイッチ４（図４参照）を作動させるための押ボタン３を格納する部位である。
押ボタン格納部７は、押ボタン３を格納する空間部６を囲む周壁部９と、空間部６を覆うように装着される有底枠体状の蓋体１１とを備えている。
蓋体１１には、押ボタン３を外部から操作可能にするための押ボタン用開口部１１ｂが設けられている。
また、押ボタン格納部７内の空間部６には、図４に示すように、本体部５側に押下可能に設けられている押ボタン３と、押ボタン３の押下状態を保持する保持片１０とが設けられている。
【００１６】
押ボタン３は、図３に示すように矩形状からなり、一辺部に爪部３ａが設けられている。押ボタン３が押下されることで、押ボタン３の背面側に配置されている発信スイッチ４（図４参照）を作動させる。
押ボタン格納部７内には、保持片１０が、下方の押ボタン３に向かって出没可能に設けられており、コイルバネ８によって常時、押ボタン３側に付勢されている。そして、保持片１０は、押ボタン３が押下されたときに、押ボタン３の爪部３ａと係止して、押ボタン３の押下状態を保持する。
【００１７】
上述したように、押ボタン格納部７は、押ボタン３を格納する空間部６を囲む周壁部９と、空間部６を覆うように装着される有底枠体状の蓋体１１とを備えており、蓋体１１の装着状態において、蓋体１１の枠部１１ａ内周面が周壁部９の外周面に当接すると共に、周壁部９の上端面が蓋体１１の底面に当接するように構成されている（図４参照）。さらに、蓋体１１の枠部１１ａの端面が、周壁部９の外側基部に設けられるフランジ部９ｂの前面と当接している。
このように構成することで、周壁部９と蓋体１１の枠部１１ａ内周面との接触面積を大きくでき、高い防滴性能を実現できる。
このため、発信機１の取付時において、押ボタン格納部７の側面を特殊な形状の防滴パッキンで覆う必要がなく、その分コスト削減ができる。なお、水滴の他に埃の侵入も防止できるのは言うまでもない。
また、周壁部９と蓋体１１の当接面積が広いので、押ボタン格納部７の側方に物がぶつかる等の外力が作用しても蓋体１１が外れにくく、また剛性も高いという効果もある。
【００１８】
図２は、図１中の太矢印の方向から押ボタン格納部７の下部を見た状態を図示したものである。図２に示すように、蓋体１１の下部および周壁部９の下部（図３も参照）には、排水スリット９ａおよび排水スリット１１ｃが設けられており、蓋体１１を閉じた状態において連通して本発明の排水スリットを構成している。そのため、押ボタン格納部７内に水が浸入したとしても、外部に排出されるようになっている。
なお、蓋体１１を押ボタン格納部７に取り付ける際に、排水スリット９ａおよび排水スリット１１ｃを連通させるために、蓋体１１の正確な位置合わせが可能になる位置合わせ手段が備えられている。具体的には、排水スリット９ａ下方のフランジ部９ｂに排水スリット９ａより小さな突起があり、その突起が排水スリット１１ｃにガイドされることにより、蓋体１１は押ボタン格納部７に対して所定の方向で取り付けられることになる。
【００１９】
また、押ボタン格納部７の底面における左右には、図３、図５〜図７に示すように、発信機１を取付面４１にねじ固定するためのネジ孔７ａが設けられている。
【００２０】
＜本体部＞
本体部５は、図１〜図３に示す通り、箱状からなり押ボタン格納部７の背面側にあって発信スイッチ４等を収容する。本体部５の背面側下部には、図示しない受信機等と外部配線１３（図７参照）で接続するための端子部２１が設けられている（図２、図６参照）。本体部５の背面には、端子部２１を覆う防滴カバー２３が設けられており、防滴カバー２３は開閉自在のカバー蓋体２３ｂを有している（図５参照）。
端子部２１と防滴カバー２３について以下に詳細に説明する。
【００２１】
≪端子部≫
図６に示すように、本体部５の背面下部には端子部２１が設けられ、端子部２１には複数の端子２１ａが一列に配置されている。
端子部２１には、図７に示すように外部配線１３が下方から接続されるようになっている。外部配線１３を端子部２１の下方から接続すると、例えば、図８に示すように、外部配線１３を上方に引き回す場合においては、外部配線１３を端子部２１の下方で折り返すことになる。従って、図８に示すように、外部配線１３を伝う水滴５１は外部配線１３の折り返し箇所で落下するため、端子部２１に水滴５１が侵入することがない。
【００２２】
また、端子部２１の各端子２１ａは背面側に面して配置されているので、各外部配線１３の接続状態を一見して確認できるという効果もある（図６参照）。
【００２３】
≪防滴カバー≫
防滴カバー２３は開閉自在のカバー蓋体２３ｂを有しており、カバー蓋体２３ｂは、上部に設けられたヒンジ部２３ａを基軸にして開閉自在になっている。カバー蓋体２３ｂを閉じることで、端子部２１を背面側から覆い、端子部２１に水滴等がかかるのを防止する。なお、防滴カバー２３の下面側は、図２に示すように、開口しており、端子部２１に接続された外部配線１３の引き出しが可能になっている。
外部配線１３の接続後はカバー蓋体２３ｂを閉じるだけで端子部２１を水滴から保護することができ、従来のようにゴム製のカバーで端子部２１を覆うような手間のかかる作業は必要ない。
【００２４】
また、防滴カバー２３を本体部５に取り付けたまま外部配線１３の接続ができるので、作業後に防滴カバー２３の付け忘れの心配がない。
さらに、カバー蓋体２３ｂの裏側には支持部２５が備えられている。そのため、発信機１の設置者が外部配線１３を発信機１に接続する際に、カバー蓋体２３ｂを開けた後、手をカバー蓋体２３ｂから放したとしても、防滴カバー２３本体の上辺に支持部２５が当接し、カバー蓋体２３ｂは開放状態を維持することになる。これにより、発信機１の設置者は、カバー蓋体２３ｂの開放を維持するために、手でカバー蓋体２３ｂを持っている必要がなく、容易に外部配線１３を発信機１に接続することができる。
なお、防滴カバー２３を樹脂で成形する場合には、成形の際に例えばストリップゲージなどを設けてもよい。
【００２５】
以上のように構成された本実施の形態に係る発信機１を設置する方法および設置時の効果について以下に、図を適宜参照しながら説明する。
取付面４１には、予め、発信機１の本体部５が挿入可能な開口部４１ａ（図４参照）と、開口部４１ａの左右両縁に発信機１をねじ固定するためのねじ孔（図示なし）を設けておく。
【００２６】
発信機１の本体部５を取付面４１の開口部４１ａに挿入して、取付面４１にねじ固定し、蓋体を閉じる。このとき、発信機１と取付面４１との間には、図４に示すように、ゴム製のドーナツ板からなる防滴パッキン３１を挟んでおく。こうすることで、取付面４１の開口部４１ａと本体部５との隙間から、取付面４１の背面側（機器収納箱の内部）に、水が浸入することを防止できる。
【００２７】
なお、従来例であれば、取付面４１に設置する防滴パッキンをは、発信機側を覆うことができる複雑な形状にする必要があったが、本実施の形態の発信機１は、上述したとおり、発信機１自体が高い防滴性能を有しているので、防滴パッキンとしては上記のような単なる板状のもの（防滴パッキン３１）を用いればよく、製造コストの低減が可能であり、また取付時の作業性にも優れている。
【００２８】
発信機１を取付面４１に固定した後は、カバー蓋体２３ｂを開けて、端子部２１に外部配線１３を接続する。このとき、各端子２１ａは、図６に示すように背面側（作業者側）に面して配置されているので、接続が容易である。
次に、カバー蓋体２３ｂを閉じて端子部２１を水滴から保護する（図７参照）。このように、単にカバー蓋体２３ｂを閉じればよいので手間がかからない。
【００２９】
以上のように、本実施の形態においては、蓋体１１の装着状態において、蓋体１１の枠部１１ａ内周面が周壁部９の外周面に当接すると共に、周壁部９の上端面が蓋体１１の底面に当接するように構成されていることにより、蓋体１１と周壁部９との接触面積が大きく、防滴構造に優れる。そのため、発信機１の取付作業時に、押ボタン格納部７の側面を覆う特殊なパッキンを必要とせず、取付作業を円滑に行うことができ、取付の作業性に優れる。
【符号の説明】
【００３０】
１  発信機
３  押ボタン
３ａ  爪部
４  発信スイッチ
５  本体部
６  空間部
７  押ボタン格納部
７ａ  ネジ孔
８  コイルバネ
９  周壁部
９ａ  排水スリット
９ｂ  フランジ部
１０  保持片
１１  蓋体
１１ａ  枠体
１１ｂ  押ボタン用開口部
１１ｃ  排水スリット
１３  外部配線
２１  端子部
２１ａ  端子
２３  防滴カバー
２３ａ  ヒンジ部
２３ｂ  カバー蓋体
２５  支持部
３１  防滴パッキン
４１  取付面
４１ａ  開口部
５１  水滴
【図１】
2014160310.tif 000003
【図２】
2014160310.tif 000004
【図３】
2014160310.tif 000005
【図４】
2014160310.tif 000006
【図５】
2014160310.tif 000007
【図６】
2014160310.tif 000008
【図７】
2014160310.tif 000009
【図８】
2014160310.tif 000010